(57)【要約】【課題】特別な施工・技術が不要であって、誤配線が起こらないこと。【解決手段】操作盤の遠隔制御部と通電金具に設けたＬＡＮコネクタとをＬＡＮケーブルで接続し、該ＬＡＮコネクタは、ＬＡＮケーブルから受け取ったＬＡＮデータを物理的に区分けして、通電金具に設けたシリアル／イーサーネット変換制御部と、直流電圧変換手段にそれぞれ送り、シリアル／イーサーネット変換制御部は、ＬＡＮコネクタから受け取ったＬＡＮデータを電気錠側の錠前制御部が第２配線としてのシリアルケーブルを介して受け取ることができるように施・解錠用の状態信号に変換し、一方、直流電圧変換手段は、電気錠の駆動源用の電圧に適合する直流電圧に変換して、かつ第１配線を介して錠前制御部に給電するようにしたことを特徴とする電気錠用配線システム。【選択図】図１
2010222782.tif 000002
【特許請求の範囲】
【請求項１】
扉に設けられ、かつ錠前制御部を含む電気錠と、この電気錠とは異なる場所に配設された遠隔制御部を含む操作盤と、前記扉側に設けられた第１通電金具と、この第１通電金具と対を成すと共に枠側に設けられた第２通電金具と、前記操作盤と前記電気錠とを、前記第１通電金具及び第２通電金具を介して電気的に接続する電源供給用の第１配線並びに前記錠前制御部と遠隔制御部との間での信号のやりとりを行うための第２配線とを備える電気錠用配線システムに於いて、前記操作盤の遠隔制御部と前記第２通電金具に設けたＬＡＮコネクタとをＬＡＮケーブルで接続し、該ＬＡＮコネクタは、ＬＡＮケーブルから受け取ったＬＡＮデータを物理的に区分けして、第２通電金具に設けたシリアル／イーサーネット変換制御部と、直流電圧変換手段にそれぞれ送り、前記シリアル／イーサーネット変換制御部は、ＬＡＮコネクタから受け取ったＬＡＮデータを前記錠前制御部が前記第２配線としてのシリアルケーブルを介して受け取ることができるように施・解錠用の状態信号に変換し、一方、前記直流電圧変換手段は、前記電気錠の駆動源用の電圧に適合する直流電圧に変換して、かつ前記第１配線を介して前記錠前制御部に給電するようにしたことを特徴とする電気錠用配線システム。
【請求項２】
扉に設けられ、かつ錠前制御部を含む電気錠と、この電気錠とは異なる場所に配設された遠隔制御部を含む操作盤と、前記扉側に設けられた第１通電金具と、この第１通電金具と対を成すと共に枠側に設けられた第２通電金具と、前記操作盤と前記電気錠とを、前記第１通電金具及び第２通電金具を介して電気的に接続する電源供給用の第１配線並びに前記錠前制御部と遠隔制御部との間で信号のやりとりを行うための第２配線とを備える電気錠用配線システムに於いて、前記操作盤の遠隔制御部と前記第１通電金具に設けたＬＡＮコネクタとをＬＡＮケーブルで接続し、該ＬＡＮコネクタは、ＬＡＮケーブルから受け取ったＬＡＮデータを物理的に区分けして、第１通電金具に設けたシリアル／イーサーネット変換制御部と、直流電圧変換手段にそれぞれ送り、前記シリアル／イーサーネット変換制御部は、ＬＡＮコネクタから受け取ったＬＡＮデータを前記錠前制御部が前記第２配線としてのシリアルケーブルを介して受け取ることができるように施・解錠用の状態信号に変換し、一方、前記直流電圧変換手段は、前記電気錠の駆動源用の電圧に適合する直流電圧に変換して、かつ前記第１配線を介して前記錠前制御部に給電するようにしたことを特徴とする電気錠用配線システム。
【請求項３】
扉に設けられ、かつ錠前制御部を含む電気錠と、この電気錠とは異なる場所に配設された遠隔制御部を含む操作盤と、前記扉側に設けられた第１通電金具と、この第１通電金具と対を成すと共に枠側に設けられた第２通電金具と、前記操作盤と前記電気錠とを、前記第１通電金具及び第２通電金具を介して電気的に接続する電源供給用の第１配線並びに前記錠前制御部と遠隔制御部との間での信号のやりとりを行うための第２配線とを備える電気錠用配線システムに於いて、前記操作盤の遠隔制御部と前記第２通電金具に設けたＬＡＮコネクタとをＬＡＮケーブルで接続し、該ＬＡＮコネクタは、ＬＡＮケーブルから受け取ったＬＡＮデータを物理的に区分けして、第１通電金具に設けたシリアル／イーサーネット変換制御部と、直流電圧変換手段にそれぞれ送り、前記シリアル／イーサーネット変換制御部は、ＬＡＮコネクタから受け取ったＬＡＮデータを前記錠前制御部が前記第２配線としてのシリアルケーブルを介して受け取ることができるように施・解錠用の状態信号に変換し、一方、前記直流電圧変換手段は、前記電気錠の駆動源用の電圧に適合する直流電圧に変換して、かつ前記第１配線を介して前記錠前制御部に給電するようにしたことを特徴とする電気錠用配線システム。
【発明の詳細な説明】
【技術分野】
【０００１】
本発明は、扉（引戸も含む）に設けた電気錠と、該電気錠から離れた場所に配設された操作盤とを電気的に接続する電気錠用配線システムに関する。
【背景技術】
【０００２】
図４は、従来の電気錠用配線システムＸを示すブロック図である。この図４を参照にして説明すると、１は扉（引戸も含む）に取り付けられた電気錠である。電気錠は、周知のように扉の自由端部に内設式又は面付け式に取り付けられ、その錠箱内には駆動源（ソレノイド又はモータ）２が設けられ、図示しないデッドボルトは前記駆動源２の駆動力により進退動する。
【０００３】
一方、３は扉側の電気錠１とは異なる場所（例えば扉以外の建物の壁）に配設された遠隔制御部（電気錠用制御部）４を含む操作盤で、この操作盤３には商業用電源（ＡＣ１００Ｖ）が接続している。操作盤３は、例えばＡＣ／ＤＣ変換器５、操作盤側コネクタ６を備えている。
【０００４】
周知のように、操作盤３は、磁気カードなどのＩＤカードのＩＤ情報を読み取ることができるカードコントローラ、操作ボタン等からの操作信号を受け取る入力手段、該入力手段から取得した入力信号と内部メモリに格納している登録情報とをデータ照合するＣＰＵ回路を備えている。
【０００５】
さて、図４の電気錠１と操作盤３との間に於いて、仮想線で囲っている部分は、従来の通電金具７を示している。ここで「通電金具７」とは、彫込型・面付型・アーム式・丁番型・ピボット型等の全てをいう。通電金具の全てのタイプの具体的構成は、例えば出願人のカタログ等に記載されている周知事項なので、詳細な説明は割愛するが、前記彫込型は扉と枠間を通線するための彫込タイプのケース状金具のことをいい、例えば出願人の品番ＴＥＫ−９ＣＣ型である。また、面付型は扉と枠間を通線するための面付タイプのケース状金具のことをいい、例えば出願人の品番ＴＥＪ−９型である。さらに、丁番型は扉と枠間を通線するための丁番タイプのパイプ状金具のことをいい、例えば出願人の品番ＴＥＤ−８ＣＣ型である。ピボット型等も以下同様である。
【０００６】
ここでは、彫込型を例にして説明する。前述した仮想線で囲っている部分に戻って、符号８は扉で、この扉８の吊元側には、第１通電金具９が取り付けられる。第１通電金具９の垂直取付け板を有するケース体は、扉８の吊元側に彫り込んで取り付けられるので、当業者は「彫込型」と称している。符号１０は第１通電金具９側の第１コネクタである。
【０００７】
一方、符号１１は枠（戸枠）で、この枠１１には、第１通電金具９のケース体に対向する位置に第２通電金具１２の垂直取付け板を有するケース体が彫込式に取り付けられる。符号１３は第２通電金具１２側の第２コネクタである。このように、当業者は扉と枠間を通線する為の扉側と枠側の２つ器具のことを「通線、或いは配線用ケース」といわず、「通電金具」と称している。
【０００８】
しかして、従来の通電金具７を含む電気錠用配線システムＸでは、ＬＡＮ方式のデータ送信の試みが全くなされておらず、いわゆる多数の電線で行われていた。この多数の電線のことを、当業者は、「配線コード」とか、「リード線」とか称している。この配線コードといわれている多数の電線は、電気錠１と操作盤３の間を繋ぐだけの話しではあるが、少なくとも、操作盤３からの電源供給用の第１配線（２本）１４と、電気錠１からのリレーの作動に基づく施錠確認信号、解除確認信号及び閉扉確認信号等の状態信号ｂを受け取るための第２配線（計４〜５本）１５とが必要である。
【０００９】
したがって、従来の電気錠用配線システムＸは、次に指摘するように問題点があった。
（ａ）通電金具と電気錠・遠隔制御部との配線には専門的な知識が必要であり、時折誤配線が生じ、動作不良や故障を引き起こす。
（ｂ）配線施工にて通線する場所や経路が限られ、また遠隔制御部から電気錠の距離が、例えば配線の導体径が０．９ｍｍの場合、１２０ｍと制限される。
（ｃ）電源の配線施工は資格が必要であり、施工者に制限、また配線施工費用が増える。
【００１０】
なお、特許文献１には、彫込型の扉側の第１通電金具の後端部に、電気錠用のインターフェイス盤を一体的に取付ける事項が記載されているが、該インターフェイス盤は、電気錠と操作盤の操作回路との間に介在する信号変換手段であって、本発明の後述するＬＡＮコネクタ（ＬＡＮデータの接続手段）とは、その機能が相違する。
【００１１】
また、特許文献２には、電気通信機器の分野に於いて、ホストコンピュータのローカルネットワーク（ＬＡＮ）とシリアルインターフェース（ＳＩＦ）を有するＳＩＦプリンタとを接続するＬＡＮ／ＳＩＦ変換装置に関する事項が記載されている。例えば特許文献２に記載されているように、電気通信機器の分野では、ＬＡＮケーブルを用いることは周知事項である。
【先行技術文献】
【特許文献】
【００１２】
【特許文献１】実開昭６２―１２０６７０号公報
【特許文献２】特開平６−３２４９６８号公報
【発明の概要】
【発明が解決しようとする課題】
【００１３】
本願発明の所期の目的は、特別な施工・技術が不要であって、誤配線が起こらないことである。その他の目的は発明の効果と同じである。
【課題を解決するための手段】
【００１４】
本発明の電気錠用配線システムは、扉に設けられ、かつ錠前制御部を含む電気錠と、この電気錠とは異なる場所に配設された遠隔制御部を含む操作盤と、前記扉側に設けられた第１通電金具と、この第１通電金具と対を成すと共に枠側に設けられた第２通電金具と、前記操作盤と前記電気錠とを、前記第１通電金具及び第２通電金具を介して電気的に接続する電源供給用の第１配線並びに前記錠前制御部と遠隔制御部との間での信号のやりとりを行うための第２配線とを備える電気錠用配線システムに於いて、前記操作盤の遠隔制御部と前記第２通電金具に設けたＬＡＮコネクタとをＬＡＮケーブルで接続し、該ＬＡＮコネクタは、ＬＡＮケーブルから受け取ったＬＡＮデータを物理的に区分けして、第２通電金具に設けたシリアル／イーサーネット変換制御部と、直流電圧変換手段にそれぞれ送り、前記シリアル／イーサーネット変換制御部は、ＬＡＮコネクタから受け取ったＬＡＮデータを前記錠前制御部が前記第２配線としてのシリアルケーブルを介して受け取ることができるように施・解錠用の状態信号に変換し、一方、前記直流電圧変換手段は、前記電気錠の駆動源用の電圧に適合する直流電圧に変換して、かつ前記第１配線を介して前記錠前制御部に給電するようにしたことを特徴とする（請求項１）。
【００１５】
また、本発明の電気錠用配線システムは、扉に設けられ、かつ錠前制御部を含む電気錠と、この電気錠とは異なる場所に配設された遠隔制御部を含む操作盤と、前記扉側に設けられた第１通電金具と、この第１通電金具と対を成すと共に枠側に設けられた第２通電金具と、前記操作盤と前記電気錠とを、前記第１通電金具及び第２通電金具を介して電気的に接続する電源供給用の第１配線並びに前記錠前制御部と遠隔制御部との間で信号のやりとりを行うための第２配線とを備える電気錠用配線システムに於いて、前記操作盤の遠隔制御部と前記第１通電金具に設けたＬＡＮコネクタとをＬＡＮケーブルで接続し、該ＬＡＮコネクタは、ＬＡＮケーブルから受け取ったＬＡＮデータを物理的に区分けして、第１通電金具に設けたシリアル／イーサーネット変換制御部と、直流電圧変換手段にそれぞれ送り、前記シリアル／イーサーネット変換制御部は、ＬＡＮコネクタから受け取ったＬＡＮデータを前記錠前制御部が前記第２配線としてのシリアルケーブルを介して受け取ることができるように施・解錠用の状態信号に変換し、一方、前記直流電圧変換手段は、前記電気錠の駆動源用の電圧に適合する直流電圧に変換して、かつ前記第１配線を介して前記錠前制御部に給電するようにしたことを特徴とする（請求項２）。
【００１６】
さらに、本発明の電気錠用配線システムは、扉に設けられ、かつ錠前制御部を含む電気錠と、この電気錠とは異なる場所に配設された遠隔制御部を含む操作盤と、前記扉側に設けられた第１通電金具と、この第１通電金具と対を成すと共に枠側に設けられた第２通電金具と、前記操作盤と前記電気錠とを、前記第１通電金具及び第２通電金具を介して電気的に接続する電源供給用の第１配線並びに前記錠前制御部と遠隔制御部との間での信号のやりとりを行うための第２配線とを備える電気錠用配線システムに於いて、前記操作盤の遠隔制御部と前記第２通電金具に設けたＬＡＮコネクタとをＬＡＮケーブルで接続し、該ＬＡＮコネクタは、ＬＡＮケーブルから受け取ったＬＡＮデータを物理的に区分けして、第１通電金具に設けたシリアル／イーサーネット変換制御部と、直流電圧変換手段にそれぞれ送り、前記シリアル／イーサーネット変換制御部は、ＬＡＮコネクタから受け取ったＬＡＮデータを前記錠前制御部が前記第２配線としてのシリアルケーブルを介して受け取ることができるように施・解錠用の状態信号に変換し、一方、前記直流電圧変換手段は、前記電気錠の駆動源用の電圧に適合する直流電圧に変換して、かつ前記第１配線を介して前記錠前制御部に給電するようにしたことを特徴とする（請求項３）。
【００１７】
ここで、「錠前制御部を含む」とは、電気錠が錠前制御部も構成要件とすることを意味し、電気錠の錠箱の中に基板（錠前制御部）を内設する場合だけではなく、基板（錠前制御部）を電気錠の錠箱外（例えば扉の内部、扉の外部、第１通電金具等）に配設する場合も意味する。したがって、「含む」の用語は、普通一般の特許明細書と同様に「構成要件」と同義である。また、ここで、「電気錠とは異なる場所」とは、扉及び第１通電金具以外の箇所（例えば建物の壁面、土地の定着物の壁面など）をいう。さらに、「信号のやりとり」とは、操作盤側から電気錠側に対しては施錠命令信号、解錠命令信号及びこれに類するシリアル状態信号或いは制御信号をいい、電気錠側から操作盤側に対しては閉扉状態の確認信号、施錠状態の確認信号、解錠状態の確認信号及びこれに類する状態信号をいう。
【発明の効果】
【００１８】
（１）通電金具（枠側）と操作盤側の遠隔制御部の接続は、通電金具のコネクタ（アダプタ）にＬＡＮケーブルを挿入するのみで、電源の供給・通信線の接続が完了する為、特別な施工・技術が不要で、誤配線が起こらない。
（２）通信の中継に給電機能を有するＰｏＥＨＵＢを使用することができるため、ＬＡＮ設備が整っている現場はそのまま設備を使用し、環境の構築が容易である。付言すると、既設でも、ＬＡＮケーブルを引き回す為、構築・設置が容易である。
（３）電源配線施工において資格者による施工が不要なため、施工費を削減できる。
（４）また操作盤側の遠隔制御部と通電金具間での電源や信号線の配線施工が不要である。
（５）操作盤側の遠隔制御部との配線距離が、電気錠と遠隔制御部間が０．９ｍｍ導体径１２０ｍ以内であったのが、例えば図２で示すように、複数個のＰｏＥＨＵＢにカスケード接続する事で４００ｍまで伸ばす事が可能である。
【図面の簡単な説明】
【００１９】
【図１】本発明の電気錠用配線システムＸ１のブロック図。
【図２】本発明の効果の一つを示すための説明図。
【図３】本発明の第１実施例と異なる他の実施例を示す説明図。
【図４】従来の電気錠用配線システムＸのブロック図。
【発明を実施するための最良の形態】
【００２０】
図１を参照にして発明を実施するための最良の形態を説明する。本発明の電気錠用配線システムＸ１を説明するに当たって、従来の電気錠用配線システムＸと同一の部分や改良部分には、同一又は同様の符号を付して重複する説明を省略する。本発明は、通電金具内、例えば第２通電金具１２内に「Ｅｔｈｅｒｎｅｔシリアル変換装置」と「ＰｏＥ受電装置」とを設けた点に特徴がある。第１通電金具（扉側）９からの接続対象はシリアル通信が可能なインテリジェント電気錠１、もしくはそれと同機能を有する電気錠アダプタを接続する。
【００２１】
これに対して、第２通電金具（枠側）１２と操作盤３側の遠隔制御器４との信号のやりとり（施・解錠に関する命令信号ａの送信、戻ってくる状態信号ｂの受信）には、電力の供給とデータの伝送手段としてＬＡＮケーブルを用いたので、その中継手段として、ＰｏＥ給電機能搭載ＨＵＢ、もしくはＰｏＥ給電機能搭載アダプタを使用する。
【００２２】
図１は、本発明の電気錠用配線システムＸ１のブロック図である。この図１を参照にして説明する。まず、図１の左側の符号１Ａは出願人が「インテリジェント電気錠」と称している電気錠である。該電気錠１Ａは、その錠箱内又は錠箱外（例えば扉８の内部）に錠前制御部２１を備えている。
【００２３】
錠前制御部２１は、第２通電金具１２Ａ内のシリアル／イーサーネット（便宜上「Ｓ／Ｅ」という）変換制御部から第１通電金具９Ａ側の第１コネクタ１０Ａを介して施錠命令信号、解錠命令信号等のシリアル状態信号（変換データ）ａを受け取ると、電気錠１Ａに対する施錠又は解錠を指示するようにシリアル状態信号ａを制御する。
【００２４】
また、錠前制御部２１は、電気錠１Ａの錠箱内に設けられたマイクロスイッチを介して施錠確認信号、解錠確認信号、閉扉確認信号等の状態信号ｂを受け取ると、該状態信号ｂを操作盤３Ａのイーサーネット用制御部（遠隔制御部）４Ａ側へ出力する。したがって、錠前制御部２１は、シリアル状態信号ａや状態信号ｂの入出力を制御する。
【００２５】
また、電気錠１Ａは、操作盤３Ａ側から通電金具内、例えば第２通電金具１２Ａ内の直流電圧変換手段を介して変換した後の直流電源、例えばＤＣ２４Ｖを受け取ると、駆動源２としてのモーター又はソレノイドに対して通電制御する。
【００２６】
次に、図１の右側の符号３Ａはイーサーネット用制御部（ここでは「遠隔制御部」という。）４Ａ側を直接又は間接的に備える操作盤である。この操作盤３Ａは、例えば電気錠１Ａから３５０メートルとか４００メートル離れた場所の建物の壁面に配設されている。イーサーネット用制御部４Ａも、従来の遠隔制御部４と同様に、磁気カードなどのＩＤカードのＩＤ情報を読み取ることができるカードコントローラ、操作ボタン等からの操作信号を受け取る入力手段、該入力手段から取得した入力信号と内部メモリに格納している登録情報とをデータ照合するＣＰＵ回路を備えている。ただし、遠隔制御部４Ａは、イーサーネット用である点が、従来の遠隔制御部４と相違する。
【００２７】
しかして、１３Ａは第２通電金具１２Ａに設けたＬＡＮコネクタ（ＬＡＮデータ接続手段）で、このＬＡＮコネクタ１３Ａと遠隔制御部４Ａとは、ＬＡＮケーブル２２と、給電機能（ＰｏＥ給電機器）を有する単数又は複数個の中継手段（交流を直流に変換する機能を有する）２３をそれぞれ介して接続している。したがって、操作盤３Ａ（遠隔制御部４Ａ）からはＬＡＮケーブル２２を介してパケット状態のＬＡＮデータを直列状態に伝送可能である。また、操作盤３Ａは前記ＬＡＮケーブル２２と中継手段２３を介して、第２通電金具１２Ａ内に設けたシリアル／イーサーネット（Ｓ／Ｅ）変換制御部２５を介して電気錠１Ａ（錠前制御部２１）からの状態信号を受け取ることができる。
【００２８】
ところで、ＬＡＮケーブル２２は、周知のように、給電機能を持たせることが取り決められている（ＩＥＥＥ８０２，３ａｆ−２００３）。したがって、ＬＡＮケーブル２２は電話線と同様に電気が流れている。
【００２９】
そこで、前述したＬＡＮコネクタ１３Ａは、ＬＡＮケーブル２２から受け取ったＬＡＮデータを物理的に区分けして、第２通電金具１２Ａ内に設けたシリアル／イーサーネット（Ｓ／Ｅ）変換制御部２５と、直流電圧変換手段２６にそれぞれ送る。直流電圧変換手段２６は、電圧変換素子を含む図示しない基板に設けられているが、ここでは、ＤＣ／ＤＣコンバータ回路について説明する。このＤＣ／ＤＣコンバータ回路が必要な理由は、次のとおりである。
【００３０】
図１で示すように、ＬＡＮコネクタ１３Ａから出力されるＬＡＮケーブル２２側の直流電圧は、例えばＤＣ４８Ｖである。これに対して、電気錠１Ａ側の直流電圧は、例えばＤＣ２４Ｖである。つまり、ＬＡＮケーブル２２から得られる直流電圧４８Ｖと電気錠１Ａの駆動源を起動するために用いられる直流電圧２４Ｖが一致しないので、第２通電金具１２Ａ内の直流電圧変換手段（ＤＣ／ＤＣコンバータ）２５を介して、ＬＡＮケーブル２２から得られる直流電圧４８Ｖを電気錠の駆動源２用の電圧に適合する直流電圧２４Ｖに変換する必要がある。
【００３１】
ところで、符号１４は、従来の実施例と同様の第１配線（電線）で、該第１配線（電線）１４は、直流電圧変換手段２６と第１コネクタ１０Ａ及び該第１コネクタ１０Ａと電気錠１Ａ若しくはそれと同機能を有する電気錠アダプタにそれぞれ接続している。また、符号１５Ａは従来例の第２配線の一部をシリアルケーブルに代えたもので、該シリアルケーブル１５Ａは、シリアル／イーサーネット（Ｓ／Ｅ）変換制御部２５と第１コネクタ１０Ａ及び該第１コネクタ１０Ａ電気錠１Ａ若しくはそれと同機能を有する電気錠アダプタにそれぞれ接続している。なお、ＬＡＮケーブル２２で伝送されるＬＡＮデータの構造（プロトコルヘッダなど）については、周知事項なので、説明を割愛する。
【実施例】
【００３２】
図１では、第２通電金具１２ＡにＬＡＮコネクタ１３Ａ、シリアル／イーサーネット（Ｓ／Ｅ）変換制御部２５及び直流電圧変換手段２６を設けているが、もちろん、ＬＡＮコネクタ１３Ａ、シリアル／イーサーネット（Ｓ／Ｅ）変換制御部２５及び直流電圧変換手段２６を第１通電金具９Ａに設けても良い（図省略）。
【００３３】
また、図３で示すように、ＬＡＮ情報の接続手段であるＬＡＮコネクタ１３Ｂを第２通電金具１２Ｂに設け、一方、ＬＡＮコネクタ１３ＢからＬＡＮ情報を受け取るシリアル／イーサーネット（Ｓ／Ｅ）変換制御部２５とＬＡＮコネクタ１３Ｂから給電を受ける直流電圧変換手段２６を第１通電金具９Ｂにそれぞれ設けても良い。このように情報受け取り機構や情報変換機構の配設位置を適宜に設計変更しても、本発明と同様の目的を達成することができる。したがって、ＬＡＮコネクタ、情報受け取り機構及び情報変換機構の配設箇所は、発明の目的を逸脱しない範囲で設計変更可能である。
【産業上の利用可能性】
【００３４】
本発明は、錠前や建具の分野で利用される。
【符号の説明】
【００３５】
Ｘ１…電気錠用配線システム、1Ａ…電気錠、２…駆動源、ａ…電気錠の状態信号（シリアル状態信号）、３Ａ…操作盤、４Ａ…イーサーネット用制御部（遠隔制御部）、９Ａ、９Ｂ…第１通電金具、１０Ａ…第１コネクタ、１２Ａ、１２Ｂ…第２通電金具、１３Ａ、１３Ｂ…ＬＡＮコネクタ、１４…第１配線（電線）、１５…リード線（第２配線）、１５Ａ…シリアルケーブル（第２配線）２１…錠前制御部、２２…ＬＡＮケーブル、２３…中継手段、２５…シリアル／イーサーネット（Ｓ／Ｅ）変換制御部、２６…直流電圧変換手段。
【図１】
2010222782.tif 000003
【図２】
2010222782.tif 000004
【図３】
2010222782.tif 000005
【図４】
2010222782.tif 000006